(57)【要約】【課題】使用者の身体の一部が点消火操作具に当たって意図せずに点火操作がなされてしまうことを確実に防止する。【解決手段】消火位置にある点消火ボタン１２の点火方向への移動を阻止する、牽制部４４を有するロック体２１と、このロック体２１を、ロック位置からロック解除位置に切換える操作体４２とを備え、操作体４２は、点消火ボタン１２の燃焼位置から消火位置への作動に連動して、前記ロック体２１を、ロック位置に復帰させる。【選択図】図３
2020128872.tif 000002
【特許請求の範囲】
【請求項１】
ガスコンロ本体の上部の天板に設けた開口から臨むコンロバーナと、前記ガスコンロ本体に設けられて前記コンロバーナの点消火のために操作される点消火操作具とを備えるガスコンロであって、
ロック位置では、消火位置にある前記点消火操作具の点火方向への移動を阻止し、ロック解除位置では、消火位置にある前記点消火操作具の点火方向への移動を許容するロック部と、
前記ロック部を、前記ロック位置から前記ロック解除位置に切換えるロック解除部とを備え、
前記ロック解除部は、前記ロック部を前記ロック位置に位置させる待機位置と、前記ロック部を前記ロック解除位置に位置させる解除実行位置とに移動可能な操作体を有し、
前記点消火操作具の点火方向への移動に伴って前記コンロバーナが点火された後は、前記ロック解除部の前記操作体は、手動操作されることなく、前記点消火操作具の燃焼位置から消火位置への復帰作動に連動して、前記解除実行位置から前記待機位置に復帰して、前記ロック部を、前記ロック解除位置から前記ロック位置に位置させる、
ことを特徴とするガスコンロ。
【請求項２】
近接配備された複数の点消火操作具に個別的に対応する複数の前記ロック部が、一体に形成され、前記複数のロック部を、前記ロック位置から前記ロック解除位置に切換える単一のロック解除部を備える、
請求項１に記載のガスコンロ。
【発明の詳細な説明】
【技術分野】
【０００１】
本発明は、ガスコンロに関し、更に詳しくは、不用意な点火が行われことを防止する機能を備えたガスコンロに関する。
【背景技術】
【０００２】
ガスコンロには、ガスコンロ本体の上部を覆う天板の前方側（使用者に近い側）の左右に、前方側のコンロバーナとして２つ、天板の後方側の中央に、後方側のコンロバーナとして１つの合計３つのコンロバーナが配置される一方、ガスコンロ本体の左右方向の中央部に配置されたグリル庫内に、グリルバーナを備えたものがある。
【０００３】
かかるガスコンロとして、例えば、特許文献１に示すように、３つの前記コンロバーナと前記グリルバーナとをそれぞれ点消火するための４つの点消火操作具としての点消火ボタンを、前記グリル庫の前面開口を開閉するグリル扉を挟んで、その左右の両側に、２つずつ、すなわち、一対ずつ配置したものがある。各点消火ボタンは、ガスコンロ本体の前方側へ突出する前端側部分をそれぞれ有しており、この突出した前端側部分を、操作部として押し操作することができる。
【０００４】
このガスコンロでは、グリル扉の左右両側の一対の点消火ボタン、すなわち、２つの点消火ボタンは、ガスコンロ本体の左右方向（横幅方向）に沿って隣接してそれぞれ配置されると共に、この隣接する２つの点消火ボタンの間に、点消火ボタンの前端側部分と同じ形状部分を有して点消火ボタンと同様に前方側に突出する中間部材を配設している。この中間部材は、点消火ボタンの操作方向と同方向への移動が不能であり、点消火ボタンのように押し操作することはできない。
【先行技術文献】
【特許文献】
【０００５】
【特許文献１】特開２０１４−０４４０３０号公報
【発明の概要】
【発明が解決しようとする課題】
【０００６】
特許文献１では、上記のように、一対の点消火ボタン、すなわち、隣接して並ぶ２つの点消火ボタンの間に、点消火ボタンの操作部となる前端側部分と同じ形状部分を有する押し操作不能の中間部材を配設しているので、使用者が、２つの点消火ボタンの一方の点消火ボタンを押し操作する場合に、誤って、手指が一方の点消火ボタンから他方側へはみ出すようなことがあっても、前記中間部材が存在するので、一方の点消火ボタンの押し操作が、他方の点消火ボタンに及ぶことがなく、意図せずに他方の点消火ボタンが押し操作されるのを回避することができる。
【０００７】
しかしながら、使用者の身体の一部が、ガスコンロ本体の前面部の点消火ボタンに不用意に接触して、押し操作していまい、コンロバーナが意図せずに点火してしまう虞がある。
【０００８】
特に、使用者に近い側である天板の前方側に配置された前方側のコンロバーナが、意図せずに点火してしまい使用者が驚くといった事態が生じるのは好ましくなく、改善が望まれる。
【０００９】
本発明は、上記のような点に鑑みてなされたものであって、使用者の身体の一部が点消火操作具に当たって、意図せずに点火がなされてしまうことを確実に防止することを目的とする。
【課題を解決するための手段】
【００１０】
上記目的を達成するために、本発明では次のように構成している。
【００１１】
（１）本発明のガスコンロは、ガスコンロ本体の上部の天板に設けた開口から臨むコンロバーナと、前記ガスコンロ本体に設けられて前記コンロバーナの点消火のために操作される点消火操作具とを備えるガスコンロであって、
ロック位置では、消火位置にある前記点消火操作具の点火方向への移動を阻止し、ロック解除位置では、消火位置にある前記点消火操作具の点火方向への移動を許容するロック部と、前記ロック部を、前記ロック位置から前記ロック解除位置に切換えるロック解除部とを備え、前記ロック解除部は、前記ロック部を前記ロック位置に位置させる待機位置と、前記ロック部を前記ロック解除位置に位置させる解除実行位置とに移動可能な操作体を有し、前記点消火操作具の点火方向への移動に伴って前記コンロバーナが点火された後は、前記ロック解除部の前記操作体は、手動操作されることなく、前記点消火操作具の燃焼位置から消火位置への復帰作動に連動して、前記解除実行位置から前記待機位置に復帰して、前記ロック部を、前記ロック解除位置から前記ロック位置に位置させる。
【００１２】
本発明によると、点消火操作具の点火方向への移動に伴って前記コンロバーナが点火された後は、ロック解除部の操作体は、手動操作されることなく、点消火操作具の燃焼位置から消火位置への復帰作動に連動して、ロック部をロック位置に位置させる待機位置に復帰して、前記ロック部を前記ロック解除位置から前記ロック位置に位置させるので、点消火操作具が、消火位置にあるときには、ロック部が、点消火操作具の点火方向への移動を阻止するロック位置にあり、使用者の身体の一部が点消火操作具に当たる等して、意図せずに点火がなされてしまうようなことが確実に防止される。また、ロックのかけ忘れのないチャイルドロックとしても有効に機能する。
【００１３】
（２）本発明の好ましい実施態様では、近接配備された複数の点消火操作具に個別的に対応する複数の前記ロック部が、一体に形成され、前記複数のロック部を、前記ロック位置から前記ロック解除位置に切換える単一のロック解除部を備える、
この実施態様によると、複数のコンロバーナを使用するような場合に、ロック解除操作が少なくなり、取扱い性に優れたものとなる。また、点消火操作具の数に比べてロック部及びロック解除部が少なくなるので、製造コストの節減に有効となる。
【発明の効果】
【００１４】
本発明によれば、消火状態では点消火操作具が、点火方向への移動が阻止されるロック状態となるので、使用者の身体の一部が点消火操作具に当たって意図せずに点火操作がなされてしまうことを確実に防止することができる。
【図面の簡単な説明】
【００１５】
【図１】本発明の一実施形態に係るガスコンロの全体斜視図である。
【図２】点消火操作部の斜視図である。
【図３】ガス弁ブロックと点消火操作部を示す一部切欠き側面図である。
【図４】ガス供給経路図である。
【図５】バルブ用位置保持機構の作動を示す概略平面図であり、（Ａ）は消火状態、（Ｂ）は点火状態、（Ｃ）は燃焼状態を示している。
【図６】消火状態におけるガス弁ブロックと点消火操作部の斜視図である。
【図７】ロック解除状態におけるガス弁ブロックと点消火操作部の斜視図である。
【図８】点火状態におけるガス弁ブロックと点消火操作部の斜視図である。
【図９】燃焼状態におけるガス弁ブロックと点消火操作部の斜視図である。
【図１０】ロック機構の斜視図である。
【図１１】消火状態におけるロック機構とロック用位置保持機構を示す縦断側面図である。
【図１２】ロック機構の作動を示す縦断側面図であり、（Ａ）は消火状態、（Ａ’）はロック解除実行状態、（Ｂ）は点火状態、（Ｃ）は燃焼状態を示している。
【図１３】ロック用位置保持機構の作動を示す概略平面図であり、（Ａ）は消火状態、（Ｂ）は点火状態、（Ｃ）は燃焼状態を示している。
【図１４】別実施形態のロック用位置保持機構の作動を示す概略平面図であり、（Ａ）は消火状態、（Ａ’）はロック解除実行状態、（Ｂ）は点火状態、（Ｃ）は燃焼状態を示している。
【図１５】別実施形態のバネの付勢力の関係を説明するための縦断側面図である。
【図１６】更に別実施形態のロック用位置保持機構の作動を示す概略平面図である。
【発明を実施するための形態】
【００１６】
以下、添付した図面を参照して、本発明の実施形態に係るガスコンロを説明する。本発明の一実施形態のガスコンロとして、コンロ部とグリルとを備えたビルトイン型のガスコンロ１について、添付図面に基づいて説明する。
【００１７】
図１に示すように、ガスコンロ１の天面部を構成する天板２には３つコンロ部３が設けられている。各コンロ部３には、それぞれ異なった火力のコンロバーナ４と、放電式の点火装置５及び点火検知装置６とが備えられ、更に、天板２の上面には、各コンロ部３に対応する五徳７が載置されている。この例では、天板２の前方側（使用者に近い側）の左右のコンロバーナ４が、高火力バーナ４であり、後方側の中央のコンロバーナ４が、小火力バーナである。
【００１８】
ガスコンロ１には、グリル８が設けられている。グリル８は、ガスコンロ１の本体内の中央部に形成されるグリル庫と、グリル庫内に設けられるグリルバーナ（図示せず）と、図示しない点火装置及び点火検知装置を備えている。グリル８の前端は、ガスコンロ１の前面に開口していてグリル扉９によって開閉自在に閉塞される。
【００１９】
点火装置５は、イグナイタで発生させる高圧パルスにより、コンロバーナ及びグリルバーナにおける燃料ガスの吐出口に設けられる点火プラグに放電を起こさせて点火する周知構造のものが採用されている。また、点火検知装置６は、火炎の熱により熱起電力が発生する熱電対を利用して点火状態を検知する周知構造のものが採用されている。
【００２０】
ガスコンロ１の正面には、前面パネル１１が設けられている。前面パネル１１の左側の上部には、前方左側のコンロバーナ４と後方中央側のコンロバーナ４を、点火および消火するための二つの点消火ボタン（点消火操作具）１２が並べて設けられるとともに、前面パネル１１の右側の上部には、前方右側のコンロバーナ４とグリルバーナを、点火および消火するための二つの点消火ボタン（点消火操作具）１２が並べて設けられている。
【００２１】
隣接して並ぶ２つの点消火ボタン１２，１２の間に、図２に示すように、点消火ボタン１２の操作部と同じ形状部分を有する押し込み操作不能の中間部材１０を配設しているので、使用者が、２つの点消火ボタン１２，１２の一方の点消火ボタン１２を押し込み操作する場合に、誤って、手指が一方の点消火ボタン１２から他方側へはみ出すようなことがあっても、中間部材１０が存在するので、一方の点消火ボタン１２の押し込み操作が、他方の点消火ボタン１２に及ぶことがなく、意図せずに他方の点消火ボタン１２が押し込み操作されるのを回避することができる。
【００２２】
各点消火ボタン１２の上方には、各バーナへのガス供給量を調節して火力を加減するため火力調節レバー１３が左右に移動操作可能に配備されている。
【００２３】
また、前面パネル１１の左側の下部には、内蔵された制御部、等の電源となる電池を収容する電池ケース１４が設けられている。
【００２４】
各点消火ボタン１２の背部には、ガスコンロ１のコンロバーナ４あるいはグリルバーナへ燃料ガスの供給を行う同一仕様のガス弁ブロック１５がそれぞれ配備されている。図３は、ガス弁ブロック１５と点消火操作部を示す一部切欠き側面図であり、図４は、このガス弁ブロック１５におけるガス供給系統図である。
【００２５】
図３，図４に示すように、ガス弁ブロック１５には、電磁開閉式の安全弁１６、メイン弁１７、大火力／小火力切替に利用される第１，第２ラッチ式電磁弁１８ａ，１８ｂ、及び、火力調節用の流量調整弁１９が組み込まれている。このガス弁ブロック１５では、ガス流入ポート２０から流入した燃料ガスが、安全弁１６、メイン弁１７、第１，第２ラッチ式電磁弁１８ａ，１８ｂ、及び、流量調整弁１９を経てガス流出ポート２１から送出され、コンロバーナ４（あるはグリルバーナ）に供給されるようになっている。
【００２６】
なお、安全弁１６は、点火検知装置６により火炎が検知されている場合にのみ、図示しない制御部によって開放状態が維持され、火炎が検知されなくなると制御部による開放状態の維持が停止して閉止される。これによって、煮こぼれや風による立ち消えが起こって点火検知装置６の火炎が検知されなくなった場合に、燃料ガスの流出が防止される。
【００２７】
図３に示すように、ガス弁ブロック１５の前部には、支持ケース２４が連結固定されている。この支持ケース２４に、点消火ボタン１２に連動して作動するスライダ２５が、前後方向にスライド移動自在に装備されるとともに、前方に向けてバネ２６でスライド付勢して組み込まれている。そして、スライダ２５の後端に、メイン弁１７におけるバルブロッド１７ａの前端が突合せ対向して配備されている。スライダ２５の後方移動に伴ってバルブロッド１７ａが、スライダ２５の後端に当接され、バネ付勢力に抗して後方に押圧変位されてメイン弁１７が開かれる。逆に、後方位置のスライダ２５が前方へ移動するに伴ってバルブロッド１７ａが、スライダ２５の変位に追従して前方に移動し、スライダ２５が一定位置以上に前方へ移動することで、開き状態のメイン弁１７が、弁座に付勢押圧されて閉じられるようになっている。なお、図３では示されていないが、バルブロッド１７ａの後端には、安全弁１６が設けられており、
バルブロッド１７ａが後方に押圧変位されて、メイン弁１７が開かれると共に、安全弁１６が開かれる。
【００２８】
図３は、スライダ２５が最前方の「消火位置」（ａ）にある状態が示されており、この状態では、スライダ２５の後端と、閉じ状態にあるメイン弁１７のバルブロッド１７ａの前端との間には小間隙が形成されている。この小間隙が、スライダ２５が点火操作方向である後方へ移動する際の「遊びストローク」となっている。
【００２９】
隣接する二つの点消火ボタン１２は、ガスコンロ１の前部に配置固定される固定支持枠２７に、それぞれ上端支点ｐを中心にして前後方向に自由揺動自在に枢支されている。各点消火ボタン１２の背面に設けた操作部１２ｂが、各ガス弁ブロック１５から突出するスライダ２５の前端で当接支持されている。従って、点消火ボタン１２を後方に押し込み操作することで、スライダ２５をバネ２６に抗して後方へ当接移動させて、メイン弁１７を開き操作するようになっている。なお、点消火ボタン１２を、後述のようにバネを用いて後方へ付勢してもよい。
【００３０】
スライダ２５は、ガス弁ブロック１５の下部に設けたプッシュ・プッシュ方式のバルブ用位置保持機構３０によって、図３に示すように、最前方の「消火位置」（ａ）、最後方の「点火位置」（ｂ）、及び、その中間の「燃焼位置」（ｃ）に切替え保持可能となっている。
【００３１】
すなわち、図３に示すように、バルブ用位置保持機構３０は、スライダ２５に一体連設されたカム体３１と、バネ線材を屈折してなる牽制部材３２とを備えている。牽制部材３２は、支持ケース２４の後部に、後端部を中心に横回動のみ可能に支持されている。
【００３２】
カム体３１の下面には、図５に示すように、横向き略ハート形ループ状の溝カム３３が形成されており、牽制部材３２の前端に屈折形成したフォローピン部３２ａが、溝カム３３に弾性係入されている。
【００３３】
そして、図５（Ａ）に示すように、スライダ２５が前方に突出した「消火位置」（ａ）にある時、フォローピン部３２ａは、溝カム３３における後部の消火位置（ｅ）にある。点消火ボタン１２を押し込み操作（プッシュ）して、スライダ２５をバネ付勢力に抗して「消火位置」（ａ）から、図５（Ｂ）に示すように、後方の「点火位置」（ｂ）に移動させると、溝カム３３の後端部に位置していたフォローピン部３２ａは、カム体３１に対して相対的に前方へ移動し、図５（Ａ）に示される溝カム３３の第１径路Ｌ１を経て点火位置（ｆ）に導かれる。
【００３４】
スライダ２５が「点火位置」（ｂ）へ移動することで、バルブロッド１７ａが追従して移動し、メイン弁１７が開放されると共に、安全弁１６が開放される。更に、図示しない器具栓スイッチがＯＮとなって制御部への給電が開始されて制御部が動作を開始すると共に、図示しない点火器スイッチがＯＮとなって、制御部は、第１，第２ラッチ式電磁弁１８ａ，１８ｂを開放して燃料ガスをバーナ４へ供給すると共に、前記点火装置５を作動させて点火動作がなされる。点火動作によるバーナ４への着火が点火検知装置６で検知されると、制御部は安全弁１６を開放状態に保持し、コンロバーナ４の燃焼を継続する。
【００３５】
点火操作後、点消火ボタン１２から手を離して押し込み操作を解除すると、スライダ２５がバネ付勢力によって「点火位置」（ｂ）から前方へ復帰移動する。この時、図５（Ｃ）に示すように、溝カム３３の底部に形成されている第１段差ｄ１にフォローピン部３２ａが当接案内されて、第１径路Ｌ１に戻ることなく第２径路Ｌ２に導かれ、第２径路Ｌ２の後端である燃焼位置（ｇ）において安定保持される。そして、スライダ２５が「燃焼位置」にある状態では、メイン弁１７は、未だ弁座から十分離れた状態にあり、引き続き燃料ガスの供給が行われて、コンロバーナ４は引き続き燃焼状態に維持される。
【００３６】
このように点消火ボタン１２を押し操作して加熱が開始されると、火力調節レバー１３を操作することで、所望の火力が得られる。
【００３７】
消火する場合には、先ず、点消火ボタン１２を再び限界まで押込み操作（プッシュ）した後、押込み操作を解除する。この場合、点消火ボタン１２の押込み操作に伴ってスライダ２５は、図５（Ｃ）に示される「燃焼位置」（ｃ）から後方に移動するが、第２径路Ｌ２の底部に形成されている第２段差ｄ２によって、フォローピン部３２ａは、第２径路Ｌ２に戻ることなく第３径路Ｌ３に導かれて相対的に前方に移動する。ここで、第３径路Ｌ３の前端は、スライダ２５が「点火位置」（ｂ）に到達しない位置に設定されており、無駄に放電点火作動が行われことはない。
【００３８】
次に、点消火ボタン１２の操作解除に伴ってスライダ２５が、バネ付勢によって前方の「消火位置」（ａ）に復帰移動するが、この際、第３径路Ｌ３の底部に形成されている第３段差ｄ３によって、フォローピン部３２ａは、第３径路Ｌ３に戻ることなく第４径路Ｌ４に導かれて元の「消火位置」（ｅ）に達する。なお、第４径路Ｌ４の後部底面にも第４段差ｄ４が形成されており、スライダ２５が「消火位置」（ａ）から後方に移動される場合に、フォローピン部３２ａが、第４段差ｄ４に当接案内され、第４径路Ｌ４に入り込むことなく正しく第１径路Ｌ１に導かれるようになっている。
【００３９】
スライダ２５が、上記のように前方の「消火位置」（ａ）へ復帰移動することによって、メイン弁１７が閉止し、コンロバーナ４が消火される。そして、グリルを含む全ての点消火ボタン１２のスライダ２５を「消火位置」（ａ）にすると、各コンロバーナ４の全てのメイン弁１７が閉止して消火され、かつ、各コンロバーナ４の全ての器具栓スイッチがＯＦＦになり、各コンロバーナ４の安全弁１６が閉止されると共に、第１，第２ラッチ式電磁弁１８ａ，１８ｂが閉止される。更に、制御部は、該制御部の給電状態を保持するための電源保持信号の出力を停止し、これによって制御部への給電が終了する。
【００４０】
以上の構成は基本的には従来構造と同様であり、本発明においては、使用者の身体の一部が点消火ボタン１２に当たって、点消火ボタン１２が押し込まれてコンロバーナ４が不用意に点火されてしまうことを防止するために、以下のような構造が備えられている。
【００４１】
図６は、消火状態におけるガス弁ブロック１５と点消火操作部の斜視図であり、図７は、ロック解除状態におけるガス弁ブロック１５と点消火操作部の斜視図であり、図８は、点火状態におけるガス弁ブロック１５と点消火操作部の斜視図であり、図９は、燃焼状態におけるガス弁ブロック１５と点消火操作部の斜視図である。
【００４２】
図３、図６〜図９に示すように、点消火ボタン１２が装着された固定支持枠２７の背部下方に、「消火位置」にある点消火ボタン１２の押し込み方向への作動を牽制阻止するロック機構４０が、隣接する二つの点消火ボタン１２の背後中央に配備されている。
【００４３】
図１０は、ロック機構４０の斜視図である。図３、図１０に示すように、前記ロック機構４０には、点消火ボタン１２の下端移動経路中に出退するよう上下変位するロック体４１と、このロック体４１を点消火ボタン１２における下端移動経路の下方に退避させるロック解除用の操作体４２とが備えられている。
【００４４】
固定支持枠２７の後部下面に、板バネ材からなる支持アーム４３が前向き片持ち状に連結支持され、この支持アーム４３の前端上面に、前記ロック体４１が連結されている。
【００４５】
ロック部を構成するロック体４１には、隣接する二つの点消火ボタン１２に対応して左右一対の牽制部４４が立設されている。各牽制部４４は、図６及びロック機構４０の作動を示す図１２（Ａ）に示すように、点消火ボタン１２の下端に備えられた横リブ１２ｃに対向している。すなわち、図３、図６、及び、図１２（Ａ）に示すように、支持アーム４３が自由状態にある時には、ロック体４１は、上方位置のロック位置にあり、牽制部４４が上方に突出して点消火ボタン１２の横リブ１２ｃの移動経路に進出し、点消火ボタン１２の「消火位置」からの押込み移動を当接阻止するロック状態がもたらされる。
【００４６】
また、図７及び図１２（Ａ’）に示すように、支持アーム４３が下方に湾曲変形されてロック体４１が下方移動すると、牽制部４４が、点消火ボタン１２の横リブ１２ｃの移動経路から下方に退避したロック解除位置となり、点消火ボタン１２が「消火位置」からの押込み移動を許容するロック解除状態がもたらされるようになっている。
【００４７】
ロック解除用の操作体４２は、固定支持枠２７に前後スライド可能に装着されており、その前端部が、隣接する二つの点消火ボタン１２の間の下方において、前面パネル１１から前方に突出するよう配備されている。この操作体４２の下面には、傾斜カム４５ａと直線カム４５ｂとが段差状に形成されている。図１２（Ａ）に示すように、操作体４２が前面パネル１１から前方に大きく突出した待機位置にある状態では、ロック体４１に備えられた当接部４１ａが傾斜カム４５ａの後側に位置して、ロック体４１が上方のロック位置にある。そして、図１２（Ａ’）に示すように、操作体４２が使用者によって後方に押し込み操作されると、当接部４１ａが傾斜カム４５ａに案内されて押し下げられることで、ロック用付勢手段としての支持アーム４３を湾曲変形させながらロック体４１が下方に変位される。押し込まれた操作体４２が、解除実行位置に達すると、当接部４１ａが、直線カム４５ｂに乗り上がり、それ以降は、操作体４２の後方移動にかかわらず、ロック体４１は一定のロック解除位置に維持される。
【００４８】
前記ロック機構４０は、ロック解除部を構成する操作体４２を手動によって後方へ押込むことでロック解除を実行することができるとともに、点消火ボタン１２の「消火位置」への復帰作動に伴ってロック解除状態からロック状態に自動リセットされるよう、以下のように点消火ボタン１２と連係されている。
【００４９】
すなわち、図１１に示すように、前記操作体４２は、上記したバルブ用位置保持機構３０と同様な構造のプッシュ・プッシュ方式のロック用位置保持機構５０に連動連結されている。このロック用位置保持機構５０には、操作体４２と一体に前後移動するとともに、復帰用付勢手段としてのバネ５１で前方へスライド付勢されたカム体５２と、これを前後スライド可能に支持する支持ケース５３と、バネ線材を屈折してなる牽制部材５４とが備えられている。支持ケース５３は、ネジ締め等によって固定支持枠２７に連結固定されている。
【００５０】
牽制部材５４は、支持ケース５３の後部に、後端部を中心に横回動のみ可能に支持されている。また、カム体５２の下面には、図１３に示すように、横向き略ハート形の溝カム５５が形成されており、牽制部材５４の前端に屈折形成したフォローピン部５４ａが、溝カム５５に弾性係入されている。
【００５１】
また、図３、図８、図１０に示すように、操作体４２の上面には、ロック用位置保持機構５０と点消火ボタン１２とを連係するためのリセット用突起５６が備えられている。このリセット用突起５６は、隣接する二つの点消火ボタン１２の下端から延出された縦リブ状の当接部１２ａにそれぞれ対向するようＴ字形に形成されている。
【００５２】
次に、ロック機構４０及びロック用位置保持機構５０の作動について説明する。
【００５３】
点消火ボタン１２が前方に大きく突出した消火位置にあって操作体４２が前方に突出している時、図１３（Ａ）に示すように、ロック用位置保持機構５０のフォローピン部５４ａは、溝カム５５における後端部の待機位置（ｈ）にある。この状態から操作体４２を後方に押し込み操作（プッシュ）して、カム体５２をバネ付勢力に抗して後方に移動させると、溝カム５５の待機位置（ｈ）に位置していたフォローピン部５４ａは、カム体５２に対して相対的に前方へ移動し、溝カム５５の第１径路Ｒ１に導かれる。また、上記のように、操作体４２の押込みに伴ってロック体４１が下方に変位されてロック解除状態となる。
【００５４】
操作体４２を押込み操作してフォローピン部５４ａを、第１径路Ｒ１の途中位置（ｉ）に位置させ、その状態のままで点消火ボタン１２を押込んで上記した点火操作を行うと、図１２（Ｂ）に示すように、大きく後方に移動する点消火ボタン１２の当接部１２ａが、操作体４２のリセット用突起５６に前方から当接し、操作体４２及びカム体５２が、図８に示すように、バネ付勢力に抗して後方へ引き込み移動され、図１３（Ｂ）に示すように、フォローピン部５４ａが、カム体５２に対して相対的に更に前方移動して、図１３（Ａ）に示される第１径路Ｒ１における前部の第１折返し位置（ｊ）に移動する。
【００５５】
点消火ボタン１２を「点火位置」まで押込んで点火操作を行った後、押込み操作を解除して点消火ボタン１２を「燃焼位置」まで戻すと、図９に示すように、点消火ボタン１２の前方への復帰移動に追従して操作体４２及びカム体５２が、バネ付勢力によって前方へ移動する。この時、第１径路Ｒ１の底部に形成されている第１段差ｓ１によって、フォローピン部５４ａは、第１径路Ｒ１に戻ることなく第２径路Ｒ２に導かれ、図１３（Ｃ）に示すように、第２径路Ｒ２後端の安定位置（ｋ）に保持される。
【００５６】
消火操作のために点消火ボタン１２を再び押込むと、先ず、大きく後方に移動する点消火ボタン１２の当接部１２ａが、操作体４２のリセット用突起５６に前方から当接して、操作体４２及びカム体５２が、バネ付勢力に抗して後方へ移動され、フォローピン部５４ａが、カム体５２に対して相対的に前方に移動する。この時、第２径路Ｒ２の底部に形成されている第２段差ｓ２によって、フォローピン部５４ａは、第２径路Ｒ２に戻ることなく第３径路Ｒ３に導かれて第２折返し位置（ｍ）に至る。
【００５７】
次いで、点消火ボタン１２の押込みを解除すると、前方へバネ付勢されている操作体４２及びカム体５２が前方に移動する。この時、第３径路Ｒ３の底部に形成されている第３段差ｓ３によって、フォローピン部５４ａは、第３径路Ｒ３に戻ることなく第４径路Ｒ４に導かれて元の待機位置（ｈ）に復帰する。なお、第４径路Ｒ４の後部底面にも第４段差ｓ４が形成されており、操作体４２が、手動で押込み操作されてカム体５２が後方に移動される場合に、フォローピン部５４ａが第４段差ｓ４に当接案内され、第４径路Ｒ４に入り込むことなく正しく第１径路Ｒ１に導かれるようになっている。
【００５８】
そして、操作体４２及びカム体５２が、前方移動して元の待機位置に復帰することで、ロック体４１が上方に復帰移動し、自動的にロック状態がもたらされる。つまり、このロック機構４０は、点消火ボタン１２が「消火位置」に復帰する作動に連動して自動的にロック状態にリセットされるのである。
【００５９】
以上のように本実施形態によれば、点消火ボタン１２が、消火位置にあるときには、常に、点消火ボタン１２の点火方向への移動が阻止されるロック状態となるので、使用者の身体の一部が点消火ボタン１２に当たる等して、意図せずに点火がなされてしまうようなことが確実に防止される。また、ロックのかけ忘れのないチャイルドロックとしても有効に機能する。
【００６０】
本発明は、以下のような形態で実施することもできる。
【００６１】
上記実施形態では、操作体４２を手指で押込み操作してロック解除を行いながら点消火ボタン１２を押込んで点火操作を行うものとしているが、カム体５２を改造することで、操作体４２を押込み操作し、ロック解除を実行した後、直ちに操作体４２から手指を離して点消火ボタン１２を押込んで点火操作する形態とすることもできる。
【００６２】
つまり、図１４に示すように、前記ロック用位置保持機構５０の溝カム５５を変形した形態とする。これによると、操作体４２を限界まで押込んで手指を離すと、カム体５２がバネ付勢力に抗して一旦後方に移動された後、バネ付勢力で前方に復帰移動することになる。図１４（Ａ’）に示すように、待機位置（ｈ）のフォローピン部５４ａは、第１径路Ｒ１を介して第１折返し位置（ｊ１）に移行した後、第１段差ｓ１で案内されて第２径路Ｒ２に導かれ、その後端の第１保持位置（ｋ１）に至って安定保持される。これによりロック解除状態が維持される。
【００６３】
次に、バーナ点火のために点消火ボタン１２を「点火位置」まで大きく押込むと、大きく後方に移動する点消火ボタン１２の当接部１２ａが、操作体４２のリセット用突起５６に前方から当接し、操作体４２及びカム体５２が、バネ付勢力に抗して更に後方へ移動される。これに伴ってフォローピン部５４ａが、カム体５２に対して相対的に更に前方移動し、第１保持位置（ｋ１）のフォローピン部５４ａは、第３径路Ｒ３を介して第２折返し位置（ｊ２）に移行し、点消火ボタン１２が「点火位置」から「燃焼位置」に復帰移動するのに連動して、フォローピン部５４ａは、第３段差ｓ３で案内されて第４径路Ｒ４に導かれ、その後端の第２保持位置（ｋ２）で安定保持される。
【００６４】
消火を行うために点消火ボタン１２を再び大きく押込んだ後、押込み操作を解除して点消火ボタン１２を「消火位置」に復帰させると、点消火ボタン１２の後方への移動に伴って操作体４２及びカム体５２が、リセット用突起５６を介して後方に当接移動された後、バネ付勢力によって前方に復帰移動する。この時、点消火ボタン１２が「燃焼位置」から後方へ移動するのに連動して、第２保持位置（ｋ２）のフォローピン部５４ａは、第４段差ｓ４で案内されて第５径路Ｒ５に導かれ、その前端の第３折返し位置（ｊ３）に移行する。その後、点消火ボタン１２が「消火位置」まで大きく復帰移動するのに連動して、フォローピン部５４ａは、第５段差ｓ５で案内されて第６径路Ｒ６に導かれ、元の待機位置（ｈ）まで復帰移動する。これによってロック機構４０が再びロック状態となる。
【００６５】
図１４に示す実施形態に限らず、点消火ボタン１２を後方へ付勢するバネを設け、このバネの付勢力、スライダ２５を前方へ付勢する上記バネ２６の付勢力、及び、操作体４２を前方へ付勢する上記バネ５１の付勢力を調整することによって、操作体４２を押込み操作し、ロック解除を実行した後、直ちに操作体４２から手指を離して点消火ボタン１２を押込んで点火操作する形態とすることもできる。
【００６６】
すなわち、図１５に示されるように、スライダ２５を前方へ付勢するバネ２６の付勢力をＦ１、操作体４２を前方へ付勢するバネ５１の付勢力をＦ２、点消火ボタン１２を後方へ付勢するバネ（図示せず）の付勢力をＦ３とすると、次の関係が成立するようにバネの付勢力を設定するものである。
【００６７】
Ｆ１＞Ｆ３＞Ｆ２
これによると、点消火ボタン１２が前方に大きく突出した消火位置にあるときは、図１６（Ａ）に示すように、ロック用位置保持機構５０のフォローピン部５４ａは、溝カム５５における後端部の待機位置（ｈ）にある。この状態から操作体４２を限界まで押込んで手指を離すと、カム体５２がバネ付勢力Ｆ２に抗して一旦後方に移動された後、バネ付勢力Ｆ２で前方に復帰移動することになる。すなわち、図１６（Ｂ）に示すように、待機位置（ｈ）のフォローピン部５４ａは、第１径路Ｒ１を介して第１折返し位置（ｊ）に移行した後、第１段差ｓ１で案内されて第２径路Ｒ２に導かれ、その後端の保持位置（ｋ）に至って安定保持される。これによりロック解除状態が維持される。
【００６８】
次に、バーナ点火のために点消火ボタン１２を「点火位置」まで大きく押込むと、大きく後方に移動する点消火ボタン１２の当接部１２ａが、操作体４２のリセット用突起５６に前方から当接し、操作体４２及びカム体５２が、バネ付勢力Ｆ２に抗して更に後方へ移動される。これに伴ってフォローピン部５４ａが、カム体５２に対して相対的に更に前方移動し、保持位置（ｋ）のフォローピン部５４ａは、第３径路Ｒ３を介して第２折返し位置（ｍ）に移行し、点消火ボタン１２が「点火位置」から「燃焼位置」に復帰移動するのに連動して、フォローピン部５４ａは、第３段差ｓ３で案内されて第４径路Ｒ４に導かれ、その途中位置（ｎ）で保持される。すなわち、点消火ボタン１２を後方へ付勢するバネの付勢力Ｆ３が、操作体４２を前方へ付勢するバネ５１の付勢力Ｆ２より大きいので、フォローピン部５４ａは、第４径路Ｒ４の途中位置（ｎ）で保持される。
【００６９】
消火を行うために点消火ボタン１２を再び大きく押込んだ後、押込み操作を解除して点消火ボタン１２を「消火位置」に復帰させると、点消火ボタン１２の後方への移動に伴って操作体４２及びカム体５２が、リセット用突起５６を介して後方に当接移動された後、バネ付勢力Ｆ２によって前方に復帰移動する。この時、点消火ボタン１２が「燃焼位置」から後方へ移動するのに連動して、途中位置（ｎ）のフォローピン部５４ａは、第２折返し位置（ｍ）に戻り、その後、点消火ボタン１２が「消火位置」まで大きく復帰移動するのに連動して、フォローピン部５４ａは、元の待機位置（ｈ）まで復帰移動する。これによってロック機構４０が再びロック状態となる。
【００７０】
また、このようにバネの付勢力を設定しておくことによって、近接して並列配備された二つの点消火ボタン１２，１２の一方の点消火ボタン１２を点火操作して燃焼位置とした状態で、他方の点消火ボタン１２を点火操作することによって、二つの点消火ボタン１２，１２で共用しているリセット用突起５６が押し込まれて、フォローピン部５４ａが、第４径路Ｒ４の途中位置（ｎ）から第２折返し位置（ｍ）に一旦戻ることになるが、二つの点消火ボタン１２，１２のいずれかの点消火ボタン１２が、燃焼位置にあるときには、フォローピン部５４ａは、第４径路Ｒ４の途中位置（ｎ）に保持される。
【００７１】
なお、本発明の他の実施形態として、点消火ボタン１２を、スライダ２５に係合させて、スライダ２５が燃焼位置にあるときには、点消火ボタン１２がスライダ２５に一体的に保持されるようにして、フォローピン部５４ａを、第４径路Ｒ４の途中位置（ｎ）に保持するようにしてもよい。この場合には、点消火ボタン１２を付勢するバネ及び上記バネの付勢力の調整が不要となる。
【００７２】
上記実施形態では、近接して並列配備された二つの点消火ボタン（点消火操作具）１２で単一のロック機構４０及びロック用位置保持機構５０を共用しているが、複数の点消火操作具１２のそれぞれに個別のロック機構４０及びロック用位置保持機構５０を装備してもよい。すなわち、点消火操作具１２毎に、個別の牽制部４４及びリセット用突起５６を有するロック解除用の操作体４２、及び、ロック用位置保持機構５０を装備してもよい。このようにすれば、各点消火操作具１２を、相互に干渉することなく、それぞれ独立に作動させることができる。
【００７３】
上記実施形態では、点消火操作具がボタン方式のものである場合を例示しているが、回転ノブ方式のものに適用することも可能である。
【００７４】
本発明は、上記実施形態に限定されるものではなく、本発明の範囲内において種々の変形を加えることが可能である。
【符号の説明】
【００７５】
１                ガスコンロ
４                コンロバーナ
１２              点消火ボタン（点消火操作具）
３０              バルブ用位置保持機構
４０              ロック機構
４１              ロック体
４２              操作体
４４              牽制部
５０              ロック用位置保持機構
５５              溝カム
５６ａ            フォローピン部
【図１】
2020128872.tif 000003
【図２】
2020128872.tif 000004
【図３】
2020128872.tif 000005
【図４】
2020128872.tif 000006
【図５】
2020128872.tif 000007
【図６】
2020128872.tif 000008
【図７】
2020128872.tif 000009
【図８】
2020128872.tif 000010
【図９】
2020128872.tif 000011
【図１０】
2020128872.tif 000012
【図１１】
2020128872.tif 000013
【図１２】
2020128872.tif 000014
【図１３】
2020128872.tif 000015
【図１４】
2020128872.tif 000016
【図１５】
2020128872.tif 000017
【図１６】
2020128872.tif 000018